(57)【要約】      （修正有）【課題】明瞭な表示部を得ることができ、さらに構造が単純で、コンパクト化が図れる表示装置を提供する。【解決手段】発光ダイオード４ｂと、文字、図形又は記号その他の模様の形に象られた透明板８と、前記透明板と相似で当該透明板よりも小さい遮光板９とを備え、前記透明板の縁部が当該透明板の表面から裏面に行くに従って当該透明板の内方へ向けて傾斜する傾斜面８ａを有し、前記透明板には裏面に開口する穴１３が形成され、前記穴に前記発光ダイオードが設置されるとともに、前記透明板の表面側には前記発光ダイオードを覆うように前記遮光板が設置され、前記発光ダイオードからの光が前記穴の内面から導入され前記傾斜面で表面側に反射されて前記透明板の縁部が光表示されるように構成されていることを特徴とする。【選択図】図２
2005055816.tif 000002
【特許請求の範囲】
【請求項１】
発光ダイオードと、文字、図形又は記号その他の模様の形に象られた透明板と、前記透明板と相似で当該透明板よりも小さい遮光板とを備え、前記透明板の縁部が当該透明板の表面から裏面に行くに従って当該透明板の内方へ向けて傾斜する傾斜面を有し、前記透明板には裏面に開口する穴が形成され、前記穴に前記発光ダイオードが設置されるとともに、前記透明板の表面側には前記発光ダイオードを覆うように前記遮光板が設置され、前記発光ダイオードからの光が前記穴の内面から導入され前記傾斜面で表面側に反射されて前記透明板の縁部が光表示されるように構成されていることを特徴とする表示装置。
【請求項２】
文字、図形又は記号その他の模様を構成する溝が形成された透明板とを備え、表面側が遮光板で覆われた発光ダイオードからの光が前記透明板の端面から当該透明板の内部に導入され前記溝の側壁で表面側に反射されて当該溝が光表示されるように構成されていることを特徴とする表示装置。
【請求項３】
文字、図形又は記号その他の模様を構成する溝が形成された透明板とを備え、表面側が遮光板で覆われた発光ダイオードからの光が前記透明板の端面から当該透明板の内部に導入され前記溝の側壁で表面側に反射されて当該溝が光表示されるように構成されていることを特徴とする請求項１に記載の表示装置。
【請求項４】
文字、図形又は記号その他の模様の形に象られた曇りガラス状加工部分を持つ透明板を備え、表面側が遮光板で覆われた発光ダイオードからの光が前記透明板の端面から当該透明板の内部に導入され前記曇りガラス状加工部分で表面側に反射されて当該曇りガラス状加工部分が光表示されるように構成されていることを特徴とする表示装置。
【請求項５】
文字、図形又は記号その他の模様の形に象られた曇りガラス状加工部分を持つ透明板を備え、表面側が遮光板で覆われた発光ダイオードからの光が前記透明板の端面から当該透明板の内部に導入され前記曇りガラス状加工部分で表面側に反射されて当該曇りガラス状加工部分が光表示されるように構成されていることを特徴とする請求項１から請求項３いずれか一に記載の表示装置。
【請求項６】
前記した光表示される部分の裏側には光反射性着色部が設置されていることを特徴とする請求項１から請求項５いずれか一に記載の表示装置。
【発明の詳細な説明】
【技術分野】
【０００１】
本発明は、表示装置に関し、詳しくは、光表示装置に関するものである。
【背景技術】
【０００２】
光源にＬＥＤ（発光ダイオード）を使用して発光ダイオードから外部に向かう光によって表示面の文字や図形を浮かび出させたり目立たせる表示装置がある。このような表示装置では、ＬＥＤの光軸を表示面に対して垂直な方向に設置している。
ところで、１個のＬＥＤが表示面を照らす範囲は狭く、広い面積を照らす場合に、ＬＥＤの数が少ないと表示面に明暗の違いが生じて見苦しくなる。したがって、多数のＬＥＤを配置しなければならない。
【０００３】
そこで、ＬＥＤを、箱状体の内部に、その光軸が表示面と平行になるように設置するとともに、散乱板を設置し、ＬＥＤの光を散乱板で散乱させて、表示面に当たる光の分布を均一化した表示装置が提供されている。
【特許文献１】特開２００２−１７５０３１号公報（図２，図４）
【発明の開示】
【発明が解決しようとする課題】
【０００４】
しかしながら、このような表示装置においては、例えば、文字部分だけ発光表示させたい場合に、表示板の表示部のみに強い光を当てることはできず、表示部が鮮明に表示されないばかりか、内部に散乱板を設置しているため、構造が複雑になっている。
【０００５】
本発明は、かかる点に鑑みてなされたもので、明瞭な表示部を得ることができ、さらに構造が単純で、コンパクト化が図れる表示装置を提供することを目的とする。
【課題を解決するための手段】
【０００６】
請求項１に記載の表示装置は、発光ダイオードと、文字、図形又は記号その他の模様の形に象られた透明板と、前記透明板と相似で当該透明板よりも小さい遮光板とを備え、前記透明板の縁部が当該透明板の表面から裏面に行くに従って当該透明板の内方へ向けて傾斜する傾斜面を有し、前記透明板には裏面に開口する穴が形成され、前記穴に前記発光ダイオードが設置されるとともに、前記透明板の表面側には前記発光ダイオードを覆うように前記遮光板が設置され、前記発光ダイオードからの光が前記穴の内面から導入され前記傾斜面で表面側に反射されて前記透明板の縁部が光表示されるように構成されていることを特徴とする。
【０００７】
請求項２に記載の表示装置は、文字、図形又は記号その他の模様を構成する溝が形成された透明板とを備え、表面側が遮光板で覆われた発光ダイオードからの光が前記透明板の端面から当該透明板の内部に導入され前記溝の側壁で表面側に反射されて当該溝が光表示されるように構成されていることを特徴とする。
【０００８】
請求項３に記載の表示装置は、請求項１に記載の表示装置において、文字、図形又は記号その他の模様を構成する溝が形成された透明板とを備え、表面側が遮光板で覆われた発光ダイオードからの光が前記透明板の端面から当該透明板の内部に導入され前記溝の側壁で表面側に反射されて当該溝が光表示されるように構成されていることを特徴とする。
【０００９】
請求項４に記載の表示装置は、文字、図形又は記号その他の模様の形に象られた曇りガラス状加工部分を持つ透明板を備え、表面側が遮光板で覆われた発光ダイオードからの光が前記透明板の端面から当該透明板の内部に導入され前記曇りガラス状加工部分で表面側に反射されて当該曇りガラス状加工部分が光表示されるように構成されていることを特徴とする。
【００１０】
請求項５に記載の表示装置は、請求項１から請求項３いずれか一に記載の表示装置において、文字、図形又は記号その他の模様の形に象られた曇りガラス状加工部分を持つ透明板を備え、表面側が遮光板で覆われた発光ダイオードからの光が前記透明板の端面から当該透明板の内部に導入され前記曇りガラス状加工部分で表面側に反射されて当該曇りガラス状加工部分が光表示されるように構成されていることを特徴とする。
【００１１】
請求項６に記載の表示装置は、請求項１から請求項５いずれか一に記載の表示装置において、前記した光表示される部分の裏側には光反射性着色部が設置されていることを特徴とする。
【発明の効果】
【００１２】
本発明の表示装置によれば、発光ダイオードの光を透明板内で拡散され、均一化された光量の光が透明板の側面を成す傾斜面で反射して、透明板の表示部から出射される。
したがって、発光ダイオードの光が効率よく表示部に集めることができ、それによって明瞭な表示部を得ることができ、しかも特別に反射板等を設置する必要がないので、構造が単純になり、コンパクト化が図れる。
【発明を実施するための最良の形態】
【００１３】
以下、図面を参照して、本発明の光学式表示装置について説明する。
【００１４】
図１は第１実施形態に係る表示装置を示した斜視図，図２はその表示装置の分解斜視図，図３は図１におけるＡ−Ａ線断面図，図４は図３における要部拡大図である。
【００１５】
図１に示した表示装置１では、周縁に、例えば白色の縁取り発光表示部２を配し、中央部に、他の色、例えば赤色で「Ａ」の文字を描いた文字発光表示部３を配している。
【００１６】
この表示装置は、図２に示したように、周縁に沿って配置した白色ＬＥＤ４ａ及び中心部に配置した赤色ＬＥＤ４ｂを備えた基板５と、縁取り発光表示部２を作るための透明板６及び遮光板７と、文字発光表示部３を作るための透明板８及び遮光板９とによって構成されている。
【００１７】
縁取り発光表示部２を作るための透明板６は、矩形の透明板で、各側面に傾斜面６ａを有している。傾斜面６ａは、透明板６の裏面６ｂに行くに従って、内側に傾斜している。この透明板６の裏面６ｂの周縁には、裏面６ｂに開口を有する穴１０が表面に向けて貫設されている。さらに、中央部には、裏面６ｂから表面に貫通する穴１１が形成されている。
【００１８】
遮光板７は、不透明な板体によって、上記透明板６よりも一回り小さく形成されている。この遮光板７には、上記した透明板６に形成された穴１１に合致する穴１２が貫設されている。
【００１９】
また、文字発光表示部３を作るための透明板８は、文字「Ａ」を象っている。この透明板８は、全側面に傾斜面８ａを有している。この傾斜面８ａは、透明板８の裏面８ｂに行くに従って、内側に傾斜している。この透明板８の裏面には、文字「Ａ」に倣って複数の穴１３が表面８ｃに向けて貫設されている。
【００２０】
遮光板９は、不透明な板体によって、透明板８の幅よりも小さな幅をもって形成されている。
【００２１】
そして、ＬＥＤ４ａ，４ｂに穴１０，１１を嵌合させるようにして、透明板６を基板５の上面に重ね、透明板６を接着剤等によって基板５に接着させる。
この状態においては、図３に示したように、白色ＬＥＤ４ａは、透明板６の穴１０内に位置し、赤色ＬＥＤ４ｂは、透明板６の穴１１から上方へ突出して位置する。
【００２２】
次いで、赤色ＬＥＤ４ｂに穴１２を嵌合させるようにして、遮光板７を透明板６の上面に重ね、遮光板７を接着剤やねじ等によって透明板６に接着させる。
この状態においては、図３に示したように、透明板６の穴１０は、遮光板７によって覆われる。
【００２３】
次いで、赤色ＬＥＤ４ｂに穴１３を嵌合させるようにして、透明板８を遮光板７の上面に重ね、透明板８を接着剤等によって遮光板７に接着させる。
この状態においては、図３に示したように、赤色ＬＥＤ４ｂは、透明板８の穴１３内に位置する。
【００２４】
次いで、遮光板９を透明板８の上面に重ね、遮光板９を接着剤等によって透明板８に接着させる。
この状態においては、図３に示したように、透明板８の穴１３は、遮光板９によって覆われる。
【００２５】
このように構成された表示装置では、白色ＬＥＤ４ａの光は、透明板６内で拡散され、それらの光は、図４に示したように、透明板６の側面（傾斜面）６ａで反射され、表面６ｃに導かれ、縁取り発光表示部２から外部へ放射される。したがって、図１に示したように、表示装置１の周縁を白く発光させる。
また、赤色ＬＥＤ４ｂの光は、透明板８内で拡散され、それらの光は、図４に示したように、透明板８の側面（傾斜面）８ａで反射され、表面８ｃに導かれ、文字の縁に沿って形成される文字発光表示部３から外部へ放射される。したがって、図１に示したように、表示装置１の中央部の文字「Ａ」を赤く発光させる。
【００２６】
なお、上記実施の形態では、透明板６と遮光板７と白色ＬＥＤ４ａとによって構成される第１段の表示ユニットによって縁取り発光表示部２を形成し、透明板８と遮光板９と赤色ＬＥＤ４ｂとによって構成される第２段の表示ユニットによって文字発光表示部３を形成しているが、同様にして、図５に示したように、透明板１４ａと遮光板１４ｂと適宜な色のＬＥＤ１４ｃとによって構成される第１段の表示ユニットによって、縁取り発光表示部１４を形成し、透明板１５ａと遮光板１５ｂと適宜な色のＬＥＤ１５ｃとによって構成される第２段の表示ユニットによって記号（図では矢印）等の記号発光表示部１５を形成することもでき、また、図６に示したように、透明板１６ａと遮光板１６ｂと適宜な色のＬＥＤ１６ｃとによって構成される第１段の表示ユニットによって、円形の縁取り発光表示部１６を形成し、透明板１７ａと遮光板１７ｂと適宜な色のＬＥＤ１７ｃとによって構成される第２段の表示ユニットによって、漢字（図では「京」の文字）の各部分から成る文字発光表示部１７を形成することもできる。
また、図示していないが、第３段の表示ユニットによって、文字，図形又は記号等の模様を追加表示させることができることは言うまでもない。
【００２７】
図７には第２実施形態に係る表示装置が示されている。この表示装置２０は三角形の線図発光部分２２と「止まれ」の文字発光部分２３とを持つ。
【００２８】
この表示装置２０は図８に示したように基板２５、下板２６、透明板２７、透明板２８及び遮光板２９を備え、それらが接着剤やねじによって組み付けられるようになっている。
【００２９】
基板２５は、不透明な板体によって、三角形状を呈するように形成されている。この基板２５には白色ＬＥＤ２４が周縁に配置されている。
【００３０】
下板２６は、基板２５よりも一回り小さい三角形状を呈するように形成されている。この下板２６の表面は赤で着色されている。この下板２６は透明板で構成されていてもよく、その場合には下板２６の裏面が赤で着色されていてもよい。あるいは、下板２６は全体が赤の着色料を含有したプラスチック板で構成されていてもよい。
【００３１】
透明板２７は下板２６と同じ大きさ及び形状に構成されている。この透明板２７の表面には、三角形を縁取る白色線図と、「止まれ」の白色文字とが描かれている。
【００３２】
透明板２８は透明体２７と同じ大きさ及び形状に構成されている。この透明板２８の表面には、三角形を縁取る溝と、「止まれ」の文字を象る溝とが描かれている。この場合の溝は透明体２８の表面側に形成されていてもよいが、裏面側に形成されることが好ましい。また、溝の少なくとも一方の側壁面と透明板２８の表裏面のなす角度は４５度となっていることが好ましい。４５度であれば、透明板２８に導入された光を効果的に表面側へ反射できるからである。
【００３３】
遮光板２９は額縁状に構成され、その外周及び内周が基板２５と同じ大きさ及び形状に構成されている。
【００３４】
以上のように構成された表示装置２０にあっては、白色ＬＥＤ２４の光が透明板２７，２８の外周の端面からその透明板２７，２８に導入される。そして、透明板２７，２８に導入された光が透明板２７，２８内で拡散され三角形を縁取る溝の側壁と、「止まれ」の文字を象る溝の側壁とで表面側に反射される。その際に、透明板２７，２８の裏面側にも多少光が拡散されるので、透明板２７に描かれた白色線図及び白色文字、下板２６の赤色部分も照らされることになる。したがって、赤色部分の中に白色線図及び白色文字が際立って光表示されることになる。
【００３５】
図９には第３実施形態に係る表示装置が示されている。この表示装置３０はバスの図形発光部分３１と、「バス」及び「のりば」の文字発光部分３２と、矢印の記号発光部分３３とを持つ。
【００３６】
この表示装置３０は図１０に示したように基板３５、透明板３６、透明板３７及び遮光板３８によって構成され、それらはねじによって組み付けられる。
【００３７】
基板３５は、不透明な板体によって矩形状に形成されている。この基板３５には白色ＬＥＤ３４が周縁に配置されている。
【００３８】
透明板３６は、基板３５と同じ大きさの板体によって構成されている。この透明板３６にはバスの図形の着色部分と、「バス」及び「のりば」の文字の着色部分と、矢印の記号の着色部分が設けられている。この場合の着色は特に限定はされないが明度の比較的に高い白色でなされている。
【００３９】
透明板３７は、透明板３６と同じ大きさ及び形状を有している。この透明板３７にはバスの図形の曇りガラス状加工部分と、「バス」及び「のりば」の文字の溝と、矢印の記号の曇りガラス状加工部分とが設けられている。
【００４０】
遮光板３８は額縁状に形成されている。この遮光板３８はＬＥＤ３４を覆い隠すためのものである。
【００４１】
以上のように構成された表示装置３０にあっては、白色ＬＥＤ３４の光が透明板３６，３７の外周の端面からその透明板３６，３７内に導入される。そして、透明板３６，３７に導入された光が透明板３６，３７内で拡散され溝や曇りガラス状加工部分で表面側に反射される。その際に、透明板３７の裏面側にも多少の光が拡散されるので、透明板３６に描かれた白色線図、白色文字及び白色記号も照らされることになる。したがって、バスの図形と、「バス」及び「のりば」の文字と、矢印とが際立って光表示されることになる。
【図面の簡単な説明】
【００４２】
【図１】第１実施形態に係る表示装置を示した斜視図である。
【図２】図１の表示装置の分解斜視図である。
【図３】図１におけるＡ−Ａ線断面図である。
【図４】図３におけるＢ部の拡大図である。
【図５】他の表示部を有する表示装置を示した平面図である。
【図６】さらに他の表示部を有する表示装置を示した平面図である。
【図７】第２実施形態に係る表示装置を示した斜視図である。
【図８】図７の表示装置の分解斜視図である。
【図９】第３実施形態に係る表示装置を示した斜視図である。
【図１０】図９のの表示装置の分解斜視図である。
【符号の説明】
【００４３】
１      表示装置
２      縁取り発光表示部
３      文字発光表示部
４ａ      白色ＬＥＤ
４ｂ      赤色ＬＥＤ
６      透明板
６ａ      傾斜面
６ｂ      裏面
７      遮光板
８      透明板
８ａ      傾斜面
８ｂ      裏面
８ｃ      表面
９      遮光板
１０，１１，１２，１３      穴
１４      縁取り発光表示部
１５      記号発光表示部
１６      縁取り発光表示部
１７      文字発光表示部
【図１】
2005055816.tif 000003
【図２】
2005055816.tif 000004
【図３】
2005055816.tif 000005
【図４】
2005055816.tif 000006
【図５】
2005055816.tif 000007
【図６】
2005055816.tif 000008
【図７】
2005055816.tif 000009
【図８】
2005055816.tif 000010
【図９】
2005055816.tif 000011
【図１０】
2005055816.tif 000012